(57)【要約】【課題】巧妙な切断などによる不正行為を肉眼で容易に発見できる封印シールおよび基板ケースを提供する。【解決手段】遊技に関する動作を制御するための制御基板を収容するための基板ケース、または、遊技に関する動作を制御するための制御基板に実装された実装素子に貼り付けられて、基板ケースの開放または実装素子の交換を禁止するための封印シールが、一方面に粘着面を有するシートフィルムと、シートフィルム面にそれぞれ配置されて、光の照射を受けることにより起電力を発生する太陽電池、太陽電池からの電力の供給を受けて可視光を発する発光ダイオード、ならびに、太陽電池と発光ダイオードとを電気的に接続する薄膜配線を有し、封印シールに光が照射されることにより、発光ダイオードからの発光が肉眼により視認可能に構成されている。【選択図】図３
2009153762.tif 000002
【特許請求の範囲】
【請求項１】
遊技に関する動作を制御するための制御基板を収容するための基板ケース、または、遊技に関する動作を制御するための制御基板に実装された実装素子に貼り付けられて、前記基板ケースの開放または前記実装素子の交換を禁止するための封印シールであって、一方面に粘着面を有するシートフィルムと、前記シートフィルム面にそれぞれ配置されて、光の照射を受けることにより起電力を発する光起電力素子、前記光起電力素子からの電力の供給を受けて可視光を発する発光素子、ならびに、前記光起電力素子と前記発光素子とを電気的に接続する接続部を有し、前記封印シールに光が照射されることにより、前記発光素子からの発光が肉眼により視認可能に構成されていることを特徴とする封印シール。
【請求項２】
前記光起電力素子、発光素子および接続部は、前記シートフィルムの粘着面と反対の面上に設けられており、透光性および一方面に粘着面を有する第２のシートフィルムが、その粘着面で前記シートフィルムを覆う状態で設けられていることを特徴とする請求項１記載の封印シール。
【請求項３】
前記シートフィルムは透光性を有し、前記光起電力素子、発光素子および接続部が前記シートフィルムの粘着面に設けられていることを特徴とする請求項１の封印シール。
【請求項４】
前記接続部は、前記シートフィルム上に形成された薄膜配線であることを特徴とする請求項１から３のいずれか１項に記載の封印シール。
【請求項５】
前記光起電力素子は、可撓性薄膜により形成されていることを特徴とする請求項１から４のいずれか１項に記載の封印シール。
【請求項６】
遊技に関する動作を制御するための制御基板を収容するための基板ケースにおいて、前記基板ケースに粘着され前記基板ケースの開放を禁止するための請求項１から５のいずれが１項に記載の封印シールを備え、前記封印シールに設けられた発光素子の発光状態により前記基板ケースの開放の有無を判別可能とした基板ケース。
【発明の詳細な説明】
【技術分野】
【０００１】
本発明は、パチンコ機やスロットマシンなどの遊技機に用いられる封印シールおよび遊技制御基板などを収納する基板ケースに関する。
【背景技術】
【０００２】
スロットマシンやパチンコ機などの遊技機には、ＣＰＵやＲＯＭなどを実装してなる制御基板が備えられており、遊技機における遊技動作は、制御基板に実装されたＣＰＵがＲＯＭに記録されているプログラムに基づく制御を行うことにより実現される。したがって、遊技機における遊技の内容は、ＲＯＭに記録されているプログラムで決まる。そのため、制御基板に実装されたＲＯＭが、遊技客が多量のメダルや遊技球を獲得できるようなプログラム、または、遊技店の利益を増大させることができるようなプログラムが記録された不正ＲＯＭ（いわゆる裏ＲＯＭ）に交換されることがある。また、ＲＯＭに記録されている正規のプログラムが、上記のような不正プログラムに書き換えられることがある。
【０００３】
このような不正行為を容易に発見するために、従来のスロットマシンでは、上記ＲＯＭが実装された制御基板はケース本体とケース蓋とからなる基板ケース内に収納されており、ケース本体とケース蓋とには、剥離痕跡を残すことができる封印シールが跨って貼り付けられている。しかし、この封印シールはきわめて薄い鋭利な刃物（カミソリ、カッターナイフ）等を用いて巧妙に切断された場合には、それを肉眼で検出することは困難であり、しばしば不正行為が見落とされる。その対策として、封印シールの切断検出に通電テスターを用いて封印シールの通電状態を測定し、封印シールの切断を検出するもの（特許文献１参照）が提案されている。
【特許文献１】特開平１０−１１８２８９号公報
【発明の開示】
【発明が解決しようとする課題】
【０００４】
しかしながら、上記封印シールの通電状態の検出には、通電テスターの携帯が必要であり、遊技場に設置された多数台の遊技機の点検には多くの時間と労力を必要とする新たな問題が生じている。
【０００５】
この発明は、上記新たな問題を解決するためになされたものであって、巧妙な切断などによる不正行為を肉眼で容易に発見できる封印シールおよび基板ケースを提供することを目的とする。
【課題を解決するための手段】
【０００６】
請求項１記載の封印シールは、遊技に関する動作を制御するための制御基板を収容するための基板ケース、または、遊技に関する動作を制御するための制御基板に実装された実装素子に貼り付けられて、前記基板ケースの開放または前記実装素子の交換を禁止するための封印シールであって、
一方面に粘着面を有するシートフィルムと、前記シートフィルム面にそれぞれ配置されて、光の照射を受けることにより起電力を発する光起電力素子、前記光起電力素子からの電力の供給を受けて可視光を発する発光素子、ならびに、前記光起電力素子と前記発光素子とを電気的に接続する接続部を有し、前記封印シールに光が照射されることにより、前記発光素子からの発光が肉眼により視認可能に構成されていることを特徴とする封印シールである。
【０００７】
請求項１記載の発明によれば、貼り付けられた封印シールに蛍光灯などの光が照射されると、光起電力素子（太陽電池など）に起電力が生じ、光起電力素子と接続部（薄膜配線など）で電気的に接続されている発光素子（可視光発光ダイオード）を点灯させるがことができる。この封印シールが不正行為などにより切断されると、前記接続部も切断され電気的断線を生じるため発光素子が消灯する。この消灯によって通電テスターなどの検査装置や外部接続電源などを用いることなく、容易に肉眼で不正行為を発見できる。
【０００８】
請求項２記載の封印シールは、前記光起電力素子、発光素子および接続部が前記シートフィルムの粘着面と反対の面上に設けられており、透光性および一方面に粘着面を有する第２のシートフィルムが、その粘着面で前記シートフィルムを覆う状態で設けられていることを特徴とする請求項１記載の封印シールである。
【０００９】
請求項２記載の発明によれば、第２のシートフィルムが前記光起電力素子、発光素子および接続部の露出を防いで機械的接触から保護するとともに、フィルムに透光性を有しているので前記光起電力素子の光の受光および発光素子からの発光の放射を妨げないので、本封印シールの不正行為発見の能力を低下させることなく、シールの耐久性を確保することができる。
【００１０】
請求項３記載の封印シールは、シートフィルムが透光性を有し、前記光起電力素子、発光素子および接続部が前記シートフィルムの粘着面に設けられていることを特徴とする請求項１の封印シールである。
【００１１】
請求項３記載の発明によれば、シートフィルムが前記光起電力素子、発光素子および接続部の露出を防いで機械的接触から保護するとともに、透光性を有しているので前記光起電力素子の光の受光および発光素子からの発光の放射を妨げない。請求項２と同様の効果を確保できるとともに第２のシートフィルムが不要であり、コスト的に有利である。
【００１２】
請求項４記載の封印シールは、前記接続部が前記シートフィルム上に形成された薄膜配線であることを特徴とする請求項１から３のいずれか１項に記載の封印シールである。
【００１３】
請求項４記載の発明によれば、シートフィルム上に印刷技術などを用いて薄膜配線を形成することにより、封印シールの十分な可撓性を確保するとともに光起電力素子、発光素子などの各素子をシートフィルム上に配置するだけで回路が構成できる。
【００１４】
請求項５に記載の封印シールは、前記光起電力素子が可撓性薄膜により形成されていることを特徴とする請求項１から４のいずれか１項に記載の封印シールである。
である。
【００１５】
請求項５に記載の発明によれば、光起電力素子がアモルファスシリコンフレキシブル太陽電池などの可撓性薄膜により形成されているので、封印シールの全体の可撓性を確保でき、平面以外の個所への封印シールの貼付を可能とする。
【００１６】
請求項６に記載の基板ケースは、遊技に関する動作を制御するための制御基板を収容するための基板ケースにおいて、前記基板ケースに粘着され前記基板ケースの開放を禁止するための請求項１から５のいずれが１項に記載の封印シールを備え、前記封印シールに設けられた発光素子の発光状態により前記基板ケースの開放の有無を判別可能とした基板ケースである。
【００１７】
請求項６の発明によれば、封印シールの発光状態を確認することにより基板ケースの不正開放を容易に発見することができる。
【発明の効果】
【００１８】
本発明によれば、  基板ケースなどの不正開放を防止する封印機能を有するとともに不正行為の発生を肉眼で容易に確認ことができる効果を有する。
【発明を実施するための最良の形態】
【００１９】
以下、図面を参照して、本発明の実施の形態について具体的に説明する。
図１は、この発明の一実施形態に係る封印シールが適用されたスロットマシンの正面図である。このスロットマシンの機体は、箱型の機体本体およびこの機体本体の前面に開閉可能に取り付けられた機体扉１０からなり、機体扉１０の前面には、リール表示窓１１、メダル投入口１２、始動レバー１３および３個の停止釦スイッチ１４，１５，１６が配設されている。
【００２０】
リール表示窓１１内には、３個のリールＲ１，Ｒ２，Ｒ３の周面の一部が視認可能に配置されており、リールＲ１，Ｒ２，Ｒ３の回転中は、その回転状態をリール表示窓１１から視認できるようになっている。リールＲ１，Ｒ２，Ｒ３の周面には、それぞれ複数種類の図柄が表示されており、リールＲ１，Ｒ２，Ｒ３の回転中は、それぞれの周面に表示された図柄がリール表示窓１１内に次々に現れる。そして、リールＲ１，Ｒ２，Ｒ３を停止させると、各リールＲ１，Ｒ２，Ｒ３のたとえば３コマ分の図柄が中、上、下、斜めの各停止ラインＬ１，Ｌ２，Ｌ３，Ｌ４，Ｌ５上に整列して並ぶ。
【００２１】
このスロットマシンにおいて遊技を行う際には、まず、メダル投入口１２からメダルを投入する。メダル投入口１２からメダルが投入されると、その投入枚数に応じた本数の停止ラインが有効化される。たとえば、１枚のメダルが投入されたときは１本の停止ラインＬ１が有効化され、２枚のメダルが投入されたときは３本の停止ラインＬ１〜Ｌ３が有効化され、３枚のメダルが投入されたときは５本の停止ラインＬ１〜Ｌ５が有効化される。こうして有効な停止ラインを決定した後、始動レバー１３を操作すると、リールＲ１，Ｒ２，Ｒ３が一斉に回転開始される。そして、停止釦スイッチ１４，１５，１６を押すと、回転中のリールＲ１，Ｒ２，Ｒ３が、押された停止釦スイッチに対応するリールから順に停止されていく。３つのリールＲ１，Ｒ２，Ｒ３がすべて停止した時点で、有効化された停止ライン上に整列した図柄の組み合わせが予め定める入賞にかかるものであれば、入賞の種類ごとに定められた所定の枚数のメダルが、機体扉１０の下方部に設けられたメダル払出口１７からメダル受皿１８に払い出される。
【００２２】
図２は、このスロットマシンの機体本体の内部構成を示す正面図である。機体本体２０の内部は、図１に示す機体扉１０を開放することによって露呈する。機体本体２０の内部には、３個のリールＲ１，Ｒ２，Ｒ３がほぼ中央に配置されている。３個のリールＲ１，Ｒ２，Ｒ３の下方には、機内に投入されたメダルを貯留しておくためのメダルホッパ３１が配設されている。このメダルホッパ３１には、機体扉１０に形成されたメダル投入口１２（図１参照）から投入されたメダルが、機体扉１０の裏面（内側の面）に設けられたメダル通路（図示せず）を通って取り込まれるようになっている。
【００２３】
メダルホッパ３１の下方には、メダルホッパ３１内に貯留されたメダルをメダル払出口１７（図１参照）に送り出すためのメダル送出装置３２が設けられている。メダル送出装置３２は、たとえば、有効化された停止ラインＬ１〜Ｌ５上に入賞にかかる図柄の組み合わせが整列したときや、このスロットマシンが所定枚数（たとえば５０枚）のメダルを預けることができるように構成されている場合には、上記所定枚数より多くメダルが投入（預入）されたときに、払い出すべき枚数のメダルをメダル払出口１７に向けて送り出す。
【００２４】
一方、３個のリールＲ１，Ｒ２，Ｒ３の上方には、ケース取付用部材４０が固定配置されており、ケース取付用部材４０には、このスロットマシンにおける遊技の基本となる動作を制御するためのメイン制御基板を収容した基板ケース５０が取り付けられている。図３は、基板ケース５０の構成を部分的に示す断面図である。基板ケース５０は、ケース取付用部材４０に取り付けられるケース本体５１と、このケース本体５１に固定されたケース蓋５２とからなる。ケース本体５１およびケース蓋５２は、いずれも、たとえばＡＢＳ樹脂（アクリロニトリル−ブタジエン−スチレン樹脂）などの透明合成樹脂の一体成形品である。
【００２５】
ケース本体５１は、略矩形状の底板５１１と、この底板５１１の周縁から立ち上がった側壁５１２とを有しており、底板５１１に対向する面は開放面となっている。一方、ケース蓋５２は、平面視においてケース本体５１の底板５１１とほぼ同じ面積を有する略矩形状の平板５２１と、この平板５２１の周縁から立ち下がった側壁５２２とを有しており、ケース本体５１１の開放面を閉塞するようにケース本体５１に固定されており、ケース本体５１とともに、上記メイン制御基板を収容するための基板収容空間を形成している。また、ケース本体５１とケース蓋５２の接合部５３は、その境界から不正に針金などがケース５０内部に挿入されないような構造となっている。
【００２６】
基板ケース５０には、ケース本体５１とケース蓋５２とに跨って、基板ケース５０の不正な開放を防止する封印シール６０が貼り付けられている。この封印シール６０にはケース本体５１とケース蓋５２との前記接合部５３を挟んで、薄膜太陽電池モジュール６３と表面実装用発光ダイオード６４が配置されている。
【００２７】
図４は、封印シール６０の構成を示す平面図であり、図５は、その断面図である。封印シール６０は、たとえば平面形状が略長方形状に形成されたポリエチレンフィルム、ポリエチレンテレフタレート（ＰＥＴ）フィルムまたはポリイミドフィルムなどの合成樹脂フィルムからなり、それぞれ一方面（下面）に粘着層を有する第１と第２のシートフィルム６１、６２と、このシートフィルム６１，６２間に配置されたアモルファスシリコンなどの薄膜半導体で形成され可撓性を有するフレキシブル太陽電池モジュール６３、小型小電力で表面実装用のチップ型赤色発光ダイオード（ＬＥＤ）６４、および前記発光ダイオード６４に流れる電流を制限するための表面実装用のチップ型抵抗素子６５のとを備えている。アモルファスシリコン太陽電池は、波長感度域が蛍光灯の発光波長領域に類似しているので室内使用に好ましく、薄膜を可撓性フィルム上に形成可能である。第１のシートフィルム６１上には、前記太陽電池モジュール６３、発光ダイオード６４、抵抗素子６５を回路接続するための薄膜配線６６が、ＡｇまたはＣｕペーストなどの導電性ペーストを用いたスクリーン印刷技術により形成されている。また、第２のシートフィルム６２は、第１のシートフィルム６１全体を覆うことで前記６３〜６６の各素子や薄膜配線６６を保護するとともに、透光性を有しているので、太陽電池モジュール６３における蛍光灯などの光の受光や、これによって生じた電力による発光ダイオード点灯の肉眼での確認を可能としている。
【００２８】
図６は、図４に示した封印シール６０の電気回路を示す図である。太陽電池モジュール６３は、複数の太陽電池のセル（Ｓ）から構成されており、蛍光灯などの光の照射を受けて発生する各セルの光起電力を、これらのセルの直列、並列接続で組み合わせることにより調整し、発光ダイオード６４を点灯可能な電圧、電流を得ている。本実施例では、通常の室内照明で３〜５ボルト程度の起電力が得られるように調整が行われている。赤色発光ダイオード６４は、電圧を印加することによって流れる電流により赤色に発光する。抵抗素子６５は、発光ダイオード６４に流れる電流を制限するために発光ダイオード６４に直列に接続されている。太陽電池モジュール６３の発生電圧をＥ、発光ダイオード６４の順方向動作電圧をＶ、抵抗素子６５の抵抗をＲ、回路（薄膜配線６６）に流れる電流をＩとすると、Ｒ＝（Ｅ−Ｖ）／Ｉとなるので、例えば、Ｅ＝３．５（ボルト）、Ｖ＝２．５（ボルト）、Ｉ＝５（ミリアンペア）とすると、Ｒ＝２００（オーム）となる。
【００２９】
本発明の封印シール６０は、図２に示したように、機体扉１０を開放することによって基板ケース５０表面に貼り付けられた状態を確認することができる。基板ケース５０に不正開放がない場合は、封印シールの発光ダイオード６４は、室内照明により太陽電池モジュール６３から発生した電力で点灯している。これによって基板ケース５０に開放がないと判断される。一方、封印シールの切断による基板ケース５０の不正な開放があると、機体扉１０を開放しても発光ダイオード６４が点灯しないので、容易に不正な開放を発見できる。
【００３０】
また、上述の実施形態では、封印シール６０が、基板ケース５０に貼り付けられている場合を例にとったが、必ずしも基板ケース５０に貼り付けられている必要はなく、たとえば、基板ケース５０内に収容されているメイン制御基板の配線基板と、この配線基板上に実装されたＲＯＭまたはＣＰＵとに跨って貼り付けられてもよい。
【００３１】
さらに、上述の実施形態では、この発明がスロットマシンに適用された場合を例にとったが、この発明は、スロットマシン以外にも、たとえばパチンコ機などの遊技機に広く適用可能である。また、特許請求の範囲に記載された事項の範囲内で、種々の設計変更を施すことができる。
【図面の簡単な説明】
【００３２】
【図１】本発明の一実施形態に係る封印シールが適用されたスロットマシンの正面図である。
【図２】上記スロットマシンの機体本体の内部構成を示す正面図である。
【図３】基板ケースの構成を部分的に示す断面図である。
【図４】封印シールの構成を示す平面図である。
【図５】封印シールの構成を示す断面図である。
【図６】封印シールの電気的構成を示すである。
【符号の説明】
【００３３】
５０    基板ケース
５１    ケース本体
５２    ケース蓋
５１１    底板
５１２    側壁
５２１    平板
５２２    側壁
５３    接合部
６０    封印シール
６１    第１のシートフィルム
６２    第２のシートフィルム
６３    太陽電池モジュール
６４    発光ダイオード
６５    抵抗素子
６６    薄膜配線
【図１】
2009153762.tif 000003
【図２】
2009153762.tif 000004
【図３】
2009153762.tif 000005
【図４】
2009153762.tif 000006
【図５】
2009153762.tif 000007
【図６】
2009153762.tif 000008